(57)【要約】【課題】影を抑えて識別用の画像を撮影する電子カメラを提供する。【解決手段】電子カメラは、撮像素子１９と、測光手段１９と、測光手段１９による測光値に応じて露出を制御する露出制御手段２１と、照明装置３３、３４、３５へ発光指示を出力する発光指示手段２１と、特定の人を識別するための画像を撮影する場合、通常撮影時に設定される通常露出パラメータより露出アンダーにする識別用露出パラメータを露出制御手段２１に設定させるとともに、発光指示手段２１に発光指示を出力させる制御手段２１とを備える。【選択図】図４
2008257083.tif 000002
【特許請求の範囲】
【請求項１】
撮像素子と、
測光手段と、
前記測光手段による測光値に応じて露出を制御する露出制御手段と、
照明装置へ発光指示を出力する発光指示手段と、
特定の人を識別するための画像を撮影する場合、通常撮影時に設定される通常露出パラメータより露出アンダーにする識別用露出パラメータを前記露出制御手段に設定させるとともに、前記発光指示手段に前記発光指示を出力させる制御手段とを備えることを特徴とする電子カメラ。
【請求項２】
撮像素子と、
測光手段と、
前記測光手段による測光値に応じて前記撮像素子の出力の増幅率を調節する増幅率調節手段と、
照明装置へ発光指示を出力する発光指示手段と、
特定の人を識別するための画像を撮影する場合、通常撮影時に設定される通常増幅率パラメータより低増幅率にする識別用増幅率パラメータを前記増幅率調節手段に設定させるとともに、前記発光指示手段に前記発光指示を出力させる制御手段とを備えることを特徴とする電子カメラ。
【請求項３】
請求項１に記載の電子カメラにおいて、
前記露出制御手段は、前記撮像素子の露光時間を調節する露光時間調節手段、および前記撮像素子への入射光量を調節する光量調節手段の少なくとも一方を含み、前記識別用露出パラメータとして前記露光時間および前記入射光量の少なくとも一方を前記通常露出パラメータより露出アンダー側に設定することを特徴とする電子カメラ。
【請求項４】
請求項１に記載の電子カメラにおいて、
前記識別用露出パラメータは、前記通常撮影時において前記照明装置を発光させる場合に前記露出制御手段が設定する照明撮影用露出パラメータより露出アンダーにする露出パラメータであることを特徴とする電子カメラ。
【請求項５】
請求項４に記載の電子カメラにおいて、
前記制御手段は、前記測光手段による測光値が所定値以下の場合、前記識別するための画像を撮影する場合と前記通常撮影時とで共通の露出パラメータを前記露出制御手段に設定させるとともに、前記発光指示手段に前記発光指示を出力させることを特徴とする電子カメラ。
【請求項６】
請求項１または２に記載の電子カメラにおいて、
前記識別するための画像は、あらかじめ登録されている参照用画像と比較するための画像であることを特徴とする電子カメラ。
【請求項７】
請求項１または２に記載の電子カメラにおいて、
前記識別するための画像は、後で撮影された画像と比較するために登録される参照用画像であることを特徴とする電子カメラ。
【請求項８】
請求項１または２に記載の電子カメラにおいて、
前記測光手段は撮影画面内の複数の領域でそれぞれ測光し、
前記露出制御手段は、前記測光手段の前記複数の領域のうち最大輝度を示す領域の測光値に応じて露出を制御することを特徴とする電子カメラ。
【請求項９】
請求項１または２に記載の電子カメラにおいて、
前記識別するための画像の撮影操作を受付ける状態を報知する報知手段をさらに備えることを特徴とする電子カメラ。
【請求項１０】
撮像素子と、
測光手段と、
前記測光手段による測光値に応じて露出を制御する露出制御手段と、
照明装置へ発光指示を出力する発光指示手段と、
特定の人を識別するための画像を撮影する場合、通常撮影時において前記照明装置を発光させる場合に前記露出制御手段が設定する照明撮影用露出パラメータより露出アンダーにする露出パラメータを前記露出制御手段に設定させるとともに、前記発光指示手段に前記発光指示を出力させる制御手段とを備えることを特徴とする電子カメラ。
【請求項１１】
請求項１０に記載の電子カメラにおいて、
前記制御手段は、前記測光手段による測光値が所定値以下の場合、前記識別するための画像を撮影する場合と前記通常撮影時とで共通の露出パラメータを前記露出制御手段に設定させるとともに、前記発光指示手段に前記発光指示を出力させることを特徴とする電子カメラ。
【発明の詳細な説明】
【技術分野】
【０００１】
本発明は、電子カメラに関する。
【背景技術】
【０００２】
影を抑えた顔画像を用いて本人認証を行う技術が知られている（特許文献１参照）。
【０００３】
【特許文献１】特開２００６−１５５０７８号公報
【発明の開示】
【発明が解決しようとする課題】
【０００４】
従来技術は、顔を照らす太陽光などの外光を遮る遮光板を備えるので、カメラなどの小型機器への適用が困難という問題があった。
【課題を解決するための手段】
【０００５】
（１）請求項１の発明による電子カメラは、撮像素子と、測光手段と、測光手段による測光値に応じて露出を制御する露出制御手段と、照明装置へ発光指示を出力する発光指示手段と、特定の人を識別するための画像を撮影する場合、通常撮影時に設定される通常露出パラメータより露出アンダーにする識別用露出パラメータを露出制御手段に設定させるとともに、発光指示手段に発光指示を出力させる制御手段とを備えることを特徴とする。
（２）請求項２の発明による電子カメラは、撮像素子と、測光手段と、測光手段による測光値に応じて撮像素子の出力の増幅率を調節する増幅率調節手段と、照明装置へ発光指示を出力する発光指示手段と、特定の人を識別するための画像を撮影する場合、通常撮影時に設定される通常増幅率パラメータより低増幅率にする識別用増幅率パラメータを増幅率調節手段に設定させるとともに、発光指示手段に発光指示を出力させる制御手段とを備えることを特徴とする。
（３）請求項１に記載の電子カメラにおいて、露出制御手段は、撮像素子の露光時間を調節する露光時間調節手段、および撮像素子への入射光量を調節する光量調節手段の少なくとも一方を含み、識別用露出パラメータとして露光時間および入射光量の少なくとも一方を通常露出パラメータより露出アンダー側に設定することもできる。
（４）請求項１に記載の電子カメラにおいて、識別用露出パラメータは、通常撮影時において照明装置を発光させる場合に露出制御手段が設定する照明撮影用露出パラメータより露出アンダーにする露出パラメータであってもよい。
（５）請求項４に記載の電子カメラにおいて、制御手段は、測光手段による測光値が所定値以下の場合、識別するための画像を撮影する場合と通常撮影時とで共通の露出パラメータを露出制御手段に設定させるとともに、発光指示手段に発光指示を出力させることもできる。
（６）請求項１または２に記載の電子カメラにおいて、識別するための画像は、あらかじめ登録されている参照用画像と比較するための画像であってもよい。
（７）請求項１または２に記載の電子カメラにおいて、識別するための画像は、後で撮影された画像と比較するために登録される参照用画像であってもよい。
（８）請求項１または２に記載の電子カメラにおいて、測光手段は撮影画面内の複数の領域でそれぞれ測光し、露出制御手段は、測光手段の複数の領域のうち最大輝度を示す領域の測光値に応じて露出を制御することもできる。
（９）請求項１または２に記載の電子カメラはさらに、識別するための画像の撮影操作を受付ける状態を報知する報知手段を備えてもよい。
（１０）請求項１０の発明による電子カメラは、撮像素子と、測光手段と、測光手段による測光値に応じて露出を制御する露出制御手段と、照明装置へ発光指示を出力する発光指示手段と、特定の人を識別するための画像を撮影する場合、通常撮影時において照明装置を発光させる場合に露出制御手段が設定する照明撮影用露出パラメータより露出アンダーにする露出パラメータを露出制御手段に設定させるとともに、発光指示手段に発光指示を出力させる制御手段とを備えることを特徴とする。
（１１）請求項１０に記載の電子カメラにおいて、制御手段は、測光手段による測光値が所定値以下の場合、識別するための画像を撮影する場合と通常撮影時とで共通の露出パラメータを露出制御手段に設定させるとともに、発光指示手段に発光指示を出力させることもできる。
【発明の効果】
【０００６】
本発明による電子カメラでは、影を抑えて識別用の画像を撮影できる。
【発明を実施するための最良の形態】
【０００７】
以下、図面を参照して本発明を実施するための最良の形態について説明する。
（第一の実施形態）
図１は、本発明の第一の実施形態による電子カメラの正面図である。図１において、電子カメラ１の前面には、撮影レンズの鏡筒３６と、フラッシュ発光部３５と、ＡＦ（オートフォーカス）補助光源２６と、外部ＡＦモジュール２７とが配設されている。電子カメラ１の上面には、シャッターボタン３２１と、電源ボタン３２２とが配設されている。シャッターボタン３２１は、電子カメラ１に撮影を指示するための操作部材である。電源ボタン３２２は、電子カメラ１に電源オンまたは電源オフを指示するための操作部材である。
【０００８】
図２は、図１の電子カメラの背面図である。図２において、電子カメラ１の背面には、表示モニタ３１と、ズームボタン（ワイド側）３２３と、ズームボタン（テレ側）３２４と、十字キー３２５と、ＯＫボタン３２６と、再生モードボタン３２７と、撮影モードボタン３２８とが配設されている。ズームボタン３２３は、電子カメラ１にズームダウンを指示するための操作部材である。ズームボタン３２４は、電子カメラ１にズームアップを指示するための操作部材である。十字キー３２５およびＯＫボタン３２６は、電子カメラ１に各種設定を指示するための操作部材である。再生モードボタン３２７は、電子カメラに撮影画像の再生表示を行う動作モードを指示するための操作部材である。撮影モードボタン３２８は、電子カメラ１に撮影を行う動作モードを指示するための操作部材である。
【０００９】
図３は、図１におけるＡ−Ａ'断面図である。電子カメラ１の撮影レンズは、１群レンズＬ１と、２群レンズＬ２と、３群レンズ（フォーカスレンズ１２）とで構成される。撮影レンズは沈胴式のズームレンズであり、電源オフ時は図３に例示するように筐体内に沈胴されている。
【００１０】
電子カメラ１は、電源ボタン３２２の押下操作による電源オン操作信号を受けると、カメラ内各部へ通電を開始させる。これにより、１群レンズＬ１および２群レンズＬ２が鏡筒駆動機構によって左方向へ繰り出される。鏡筒駆動機構は、ズームモータ２４（図４において後述）、カム筒１１８およびギア部１１９等によって構成される。また、フォーカスレンズ１２はＡＦ駆動機構によって光軸Ａｘ方向に進退駆動される。ＡＦ駆動機構は、ＡＦモータ２３、ＡＦ駆動ギア列１０４、リードねじ１１６およびナット１０５等によって構成される。
【００１１】
フォーカスレンズ１２はフォーカスレンズホルダ１０７によって支持される。フォーカスレンズホルダ１０７は不図示の付勢部材によって右方向へ付勢され、ナット１０５に当接する。ナット１０５は、フォーカスレンズホルダ１０７に設けられている回転止め（不図示）によって回転が制限されている。以上の構成により、リードねじ１１６の回転がナット１０５の光軸Ａｘ方向の移動に変換され、ナット１０５に当接しているフォーカスレンズホルダ１０７が光軸Ａｘ方向に駆動される。
【００１２】
フォーカスレンズ１２の位置は、フォーカスレンズ基準位置センサ１６による検出信号と、後述するモータ駆動回路２５（図４）からＡＦモータ２３へ出力されるパルス数とを用いて制御される。一方、１群レンズＬ１および２群レンズＬ２の位置は、後述するズーム位置検出センサ１５（図４）による検出信号と、ズームモータ２４（図４）の回転角を検出するセンサ（不図示）による検出信号とを用いて制御される。ズーム位置検出センサ１５は、カム筒１１８の光軸方向の位置を検出する。
【００１３】
１群レンズＬ１、２群レンズＬ２およびフォーカスレンズ１２がそれぞれ所定位置へ移動すると、電子カメラ１は、撮影準備状態となってシャッターボタン３２１の押下操作信号の受け付けを許可する。電子カメラ１は、ズームボタン３２３の押下操作信号を受けると、鏡筒駆動機構およびＡＦ駆動機構を駆動してズームダウン動作を行う。また、電子カメラ１は、ズームボタン３２４の押下操作信号を受けると、鏡筒駆動機構およびＡＦ駆動機構を駆動してズームアップ動作を行う。
【００１４】
シャッター羽根１３および絞り１４は、２群レンズＬ２の像面側に配設される。また、シャッターユニット１１３、シャッター羽根１３および絞り１４は、２群レンズＬ２と一体に光軸方向へ移動するように構成されている。
【００１５】
図４は、電子カメラ１の要部構成を説明するブロック図である。ズームレンズ１１は、上述した１群レンズＬ１および２群レンズＬ２に対応する。ズーム位置検出センサ１５は、ズームレンズ１１の位置を示す情報を検出し、検出信号をＣＰＵ２１へ送信する。フォーカスレンズ基準位置センサ１６は、フォーカスレンズ１２の基準位置を示す情報を検出し、検出信号をＣＰＵ２１へ送信する。
【００１６】
シャッター駆動部１７は、ＣＰＵ２１からの指示に応じてシャッター羽根１３の開閉制御を行う。絞り駆動部１８は、ＣＰＵ２１からの指示に応じて絞り１４の開口サイズを変化させる。絞り１４は、光束を多段階に（たとえば、アペックス値で１．５段相当）減衰させる減光部材である。よって、絞り１４により撮像デバイス１９へ入射される光量が制限される。
【００１７】
ズームレンズ１１およびフォーカスレンズ１２を通過した光束は、撮像デバイス１９の撮像面上に被写体像を結ぶ。撮像デバイス１９は、ＣＣＤイメージセンサなどによって構成される。画像処理回路２０は、撮像デバイス１９から出力された画像信号に対し、所定の信号処理を行う。信号処理には、信号増幅やＡ／Ｄ変換などのアナログ処理と、輪郭強調や色温度調整（ホワイトバランス調整）などのディジタル処理とが含まれる。
【００１８】
画像処理回路２０はさらに、ＣＰＵ２１からの感度変更指示に応じて撮像感度（露光感度）を所定範囲（たとえばＩＳＯ５０相当〜ＩＳＯ１０００相当）内で変更する。撮像感度は、撮像デバイス１９に蓄積された電荷の検出感度、もしくは不図示の増幅回路の増幅率を変化させる被制御量のことをいう。撮像感度値は、相当するＩＳＯ感度値で表される。
【００１９】
ＣＰＵ２１は、各ブロックから出力される信号を入力して所定の演算を行い、演算結果に基づく制御信号を各ブロックへ出力する。ＣＰＵ２１内には、メモリ２２が設けられている。ＡＦ補助光源２６は、外部ＡＦモジュール２７が測距する際に、ＣＰＵ２１からの指示に応じて点灯する。外部ＡＦモジュール２７は、被写体までの距離を検出し、検出情報をＣＰＵ２１へ送信する。
【００２０】
外部ＡＦモジュール２７は、撮影レンズを通過した光束と異なる光束を利用する方式（いわゆる外光式）で、赤外光などを発することなくフォーカス調節情報を取得するパッシブＡＦ方式の構成を有する。ＣＰＵ２１は、外部ＡＦモジュール２７が暗すぎて測距不能になることを避けるため、必要に応じてＡＦ補助光源２６を点灯させる。なお、焦点検出用の赤外光などを発して測距を行うアクティブＡＦ方式で外部ＡＦモジュール２７を構成しても構わない。
【００２１】
内蔵フラッシュメモリ２８は、ＣＰＵ２１によって書き込みおよび読み出し可能な不揮発性メモリである。電源回路２９は、ＣＰＵ２１をはじめとするカメラ内の各部へ電力を供給する。表示回路３０は、撮影画像を表示モニタ３１に表示させるための表示データを作成する。表示モニタ３１は、たとえば、液晶表示パネルによって構成される。液晶表示パネルは、表示回路３０から入力される表示データによる再生画像を表示する。表示回路３０は画像表示用データの他、メッセージやメニューなどを表示するためのデータの作成も行う。これにより、表示モニタ３１に画像以外の情報も表示される。
【００２２】
操作部材３２は、シャッターボタン３２１などの電子カメラ１の操作ボタン類に対応し、各ボタンの押下操作に対応する操作信号をＣＰＵ２１へ出力する。記録カード５０は、電子カメラ１に対して着脱可能なメモリカードなどで構成される。記録カード５０には、ＣＰＵ２１の指示によって撮影画像のデータおよびその撮影情報を含む画像ファイルが記録される。記録カード５０に記録された画像ファイルは、ＣＰＵ２１からの指示によって読み出しが可能である。
【００２３】
ＣＰＵ２１は、外部ＡＦモジュール２７から受けた検出情報に基づいて合焦に必要なフォーカスレンズ１２の駆動量を演算する。ＣＰＵ２１はさらに、演算した駆動量を示す情報をモータ駆動回路２５へ送る。モータ駆動回路２５は、ＣＰＵ２１からの指示に応じて、指示された駆動量の駆動に必要な所定数のパルス信号をＡＦモータ２３へ送信する。
【００２４】
また、ＣＰＵ２１は、ズームボタン３２３およびズームボタン３２４からの操作信号に応じて、モータ駆動回路２５へ駆動指示を送る。モータ駆動回路２５は、ＣＰＵ２１からの指示に応じてズームモータ２４へ所定の駆動信号を送信する。
【００２５】
フラッシュ回路３３は、コンデンサ３４を高電圧で充電する。また、フラッシュ回路３３は、ＣＰＵ２１からの指示に応じてコンデンサ３４を放電させ、放電電力をフラッシュ発光部３５へ供給する。フラッシュ発光部３５は、たとえばキセノン管などで構成されており、コンデンサ３４からの放電電力によって放電発光する。
【００２６】
電子カメラ１は登録ユーザを識別する機能を備える。電子カメラ１は、ユーザ認識後に撮影した画像のファイルに閲覧制限をかける（閲覧ロック）。閲覧制限された画像ファイルは、電子カメラ１が当該画像の撮影時と同じユーザを認識した場合にのみ、表示モニタ３１に再生表示することが許可される。電子カメラ１が当該画像の撮影時と異なるユーザを認識した場合、および電子カメラ１がユーザ認識していない場合は、いずれも閲覧制限された画像ファイルの再生画像を表示モニタ３１に表示することが禁止される。
【００２７】
一方、電子カメラ１は、登録ユーザを識別しないで撮影した画像のファイルには閲覧制限をかけない。閲覧制限されていない画像ファイルは、電子カメラ１がユーザを認識したか否かにかかわらず、表示モニタ３１に再生表示することが許可される。なお、閲覧制限された画像ファイルの再生画像は、電子カメラ１がユーザ認識していない場合にも表示モニタ３１に表示することが禁止されることはいうまでもない。
【００２８】
本実施形態は、上記電子カメラ１がユーザ識別に用いる画像の撮影動作に特徴を有するので、ユーザ識別に用いる画像撮影を中心に説明する。ユーザ識別に用いる画像には、あらかじめ電子カメラ１に登録しておく参照用画像と、参照用画像と比較するために後から撮影される画像とが含まれる。
【００２９】
＜識別処理＞
電子カメラ１のＣＰＵ２１がユーザ識別のために行う処理の流れについて、図５に例示するフローチャートを参照して説明する。図５の処理を行うプログラムは、内蔵フラッシュメモリ２８内に格納されている。ＣＰＵ２１は、電源オン処理後に当該プログラムを起動する。
【００３０】
図５のステップＳ１１において、ＣＰＵ２１はユーザの識別を行うか否かを判定する。ＣＰＵ２１は、十字キー３２５およびＯＫボタン３２６からの操作信号によって「ユーザ識別する」が指示されると、ステップＳ１１を肯定判定してステップＳ１２へ進む。ＣＰＵ２１は、十字キー３２５およびＯＫボタン３２６からの操作信号によって「ユーザ識別しない」が指示されると、ステップＳ１１を否定判定して図５の処理を終了する。
【００３１】
「ユーザ識別しない」場合のＣＰＵ２１は、以降に撮影する画像のファイルには閲覧制限をかけない。また、閲覧制限された画像ファイルについて、表示モニタ３１に再生表示することを禁止する。閲覧制限されていない画像ファイルについての再生表示を許可する点は従来どおりである。
【００３２】
ステップＳ１２において、ＣＰＵ２１は新規登録か否かを判定する。ＣＰＵ２１は、十字キー３２５およびＯＫボタン３２６からの操作信号によって「新規登録しない」が指示されると、ステップＳ１２を否定判定してステップＳ１３へ進む。ＣＰＵ２１は、十字キー３２５およびＯＫボタン３２６からの操作信号によって「新規登録する」が指示されると、ステップＳ１２を肯定判定してステップＳ２０へ進む。
【００３３】
ステップＳ１３において、ＣＰＵ２１は登録名選択を行う。ＣＰＵ２１は表示回路３０へ指示を送り、図６に例示する登録名選択画面を表示モニタ３１に表示させる。ＣＰＵ２１は、十字キー３２５およびＯＫボタン３２６からの操作信号に応じて登録名（本例では登録者１）を選択すると、ステップＳ１４へ進む。
【００３４】
ステップＳ１４において、ＣＰＵ２１は識別データ撮影処理を行ってステップＳ１５へ進む。ここで撮影される画像は、既に保存されている登録者１の参照用画像と比較するための画像である。識別データ撮影処理については後述する。ステップＳ１５において、ＣＰＵ２１は、登録データ（本例の場合は登録者１の参照用画像）とステップＳ１４で撮影した画像との比較処理を行ってステップＳ１６へ進む。
【００３５】
比較処理は、たとえば、特開平９−２５１５３４号公報に開示されている技術を用いる。上記公報に開示される技術は、撮影画像から人物の顔領域を抽出し、抽出した顔領域から特徴点データ（目、鼻の位置など）を取得し、この特徴点データを用いてあらかじめ登録されている人物を識別するものである。
【００３６】
ステップＳ１６において、ＣＰＵ２１は認証ＯＫか否かを判定する。ＣＰＵ２１は、比較処理結果が所定の判定基準を満たした場合にステップＳ１６を肯定判定してステップＳ１７へ進む。ＣＰＵ２１は、比較処理結果が所定の判定基準を満たさない場合にはステップＳ１６を否定判定し、ステップＳ１８へ進む。
【００３７】
ステップＳ１７において、ＣＰＵ２１は、撮影済みデータについて閲覧ロックを解除して図５による処理を終了する。具体的には、撮影済みで閲覧制限されている画像ファイルのうち、その撮影者が識別ユーザ（本例では登録者１）である画像ファイルについて、表示モニタ３１に再生表示することを許可する。また、ユーザを識別した以降に撮影する画像のファイルについて閲覧制限をかける（閲覧ロック）。なお、ＣＰＵ２１は、閲覧制限がかけられていない画像ファイルについての再生表示は許可する。
【００３８】
図７は、ＣＰＵ２１が内蔵フラッシュメモリ２８内に生成する管理テーブルを例示する図である。ＣＰＵ２１は、登録者１についてユーザを識別後に撮影した画像ファイルについて、登録者１を示す制限情報「１」を管理テーブルに記録する。ステップＳ１１を否定判定した「ユーザ識別しない」場合のＣＰＵ２１は、撮影した画像ファイルについての制限情報をブランク「−」として管理テーブルに記録する。
【００３９】
ＣＰＵ２１は、登録者１について閲覧ロックを解除（ステップＳ１７）後に再生モードへ切替操作された場合、ファイル名0001.jpg、0002.jpg、0003.jpg、0004.jpgの画像ファイルのみについて、再生画像を表示モニタ３１に表示することを許可する。
【００４０】
同様に、ＣＰＵ２１は、登録者２について閲覧ロックを解除（ステップＳ１７）後に再生モードへ切替操作された場合、ファイル名0003.jpg、0004.jpg、0005.jpgの画像ファイルのみについて、再生画像を表示モニタ３１に表示することを許可する。
【００４１】
また、ＣＰＵ２１は、登録者３について閲覧ロックを解除（ステップＳ１７）後に再生モードへ切替操作された場合、ファイル名0003.jpg、0004.jpgの画像ファイルのみについて、再生画像を表示モニタ３１に表示することを許可する。
【００４２】
なお、ステップＳ１１を否定判定した「ユーザ識別しない」場合のＣＰＵ２１は、再生モードへ切替操作された場合、制限情報がブランク「−」であるファイル名0003.jpg、0004.jpgの画像ファイルのみについて、再生画像を表示モニタ３１に表示することを許可する。
【００４３】
ステップＳ１６を否定判定して進むステップＳ１８において、ＣＰＵ２１は表示回路３０へ指示を送り、「認証エラー」を示すメッセージを表示モニタ３１に表示させてステップＳ１９へ進む。
【００４４】
ステップＳ１９において、ＣＰＵ２１は再びユーザの識別を行うか否かを判定する。ＣＰＵ２１は、十字キー３２５およびＯＫボタン３２６からの操作信号によって「再識別する」が指示されると、ステップＳ１９を肯定判定してステップＳ１４へ戻る。ＣＰＵ２１は、十字キー３２５およびＯＫボタン３２６からの操作信号によって「再識別しない」が指示されると、ステップＳ１９を否定判定して図５の処理を終了する。
【００４５】
「再識別しない」場合のＣＰＵ２１は、「ユーザ識別しない」場合と同様に、以降に撮影する画像のファイルには閲覧制限をかけない。また、撮影済みで閲覧制限されている画像ファイルについて、表示モニタ３１に再生表示することを禁止する。
【００４６】
上述したステップＳ１２を肯定判定して進むステップＳ２０において、ＣＰＵ２１は識別データ撮影処理を行ってステップＳ２１へ進む。ここで撮影される画像は、ステップＳ１４で撮影される画像と比較するための参照用画像である。識別データ撮影処理については後述する。
【００４７】
ステップＳ２１において、ＣＰＵ２１は、ステップＳ２０で撮影した画像のデータを参照用データとして内蔵フラッシュメモリ２８内へ記録し（新規登録）、図５による処理を終了する。
【００４８】
＜識別データ撮影＞
ユーザ識別に用いる画像を撮影する識別データ撮影について、図８に例示するフローチャートを参照して説明する。ＣＰＵ２１は、図５のステップＳ１４およびステップＳ２０のそれぞれにおいて図８による処理を行う。図８のステップＳ５１において、ＣＰＵ２１はＳ１オンか否かを判定する。「Ｓ１」は、シャッターボタン３２１の押下操作に連動してオフ／オフする半押しスイッチ（不図示）である。ＣＰＵ２１は、シャッターボタン３２１が半押し操作されたことを示すＳ１オン信号が入力されると、ステップＳ５１を肯定判定してステップＳ５２へ進む。ＣＰＵ２１は、Ｓ１オン信号が入力されない場合にはステップＳ５１を否定判定し、当該判定処理を繰り返す。
【００４９】
ステップＳ５２において、ＣＰＵ２１は、コンデンサ３４の充電がＯＫか否かを判定する。ＣＰＵ２１は、コンデンサ３４の充電完了を示す信号がフラッシュ回路３３から入力されると、ステップＳ５２を肯定判定してステップＳ５３へ進む。ＣＰＵ２１は、コンデンサ３４の充電完了を示す信号が入力されない場合には、当該判定処理を繰り返して充電完了を待つ。
【００５０】
識別データ撮影の際、ユーザは電子カメラ１の正面をユーザ自身に向けて、ユーザの顔を含む撮影を行うように電子カメラ１をホールドする。ステップＳ５３において、ＣＰＵ２１は顔認識処理を行う。具体的には、撮像デバイス１９に測光用の撮像を行わせ、撮像デバイス１９から出力される撮像信号を用いて顔領域を抽出して（顔認識）ステップＳ５４へ進む。
【００５１】
ステップＳ５４において、ＣＰＵ２１は、ＡＦ処理および測光処理を行ってステップＳ５５へ進む。ＡＦ処理では、外部ＡＦモジュール２７からの検出情報に基づいて演算したフォーカスレンズ１２の駆動量情報をモータ駆動回路２５へ送る。測光処理では、上記測光用の撮像で取得した撮像信号を用いて明るさ情報を取得する。ＣＰＵ２１は、図９に例示するように、撮像画面を複数に分割した９（横方向）×８（縦方向）＝７２領域ごとに測光値を得る。ＣＰＵ２１は、各領域で最も高い値の信号に基づいてＢＶ値（輝度）を算出する。
【００５２】
ステップＳ５５において、ＣＰＵ２１は合焦ＯＫか否かを判定する。ＣＰＵ２１は、外部ＡＦモジュール２７からの検出情報に基づいて演算したフォーカスレンズ１２の駆動量（すなわち、合焦に必要な駆動量）が所定値未満であればステップＳ５５を肯定判定し、ステップＳ５６へ進む。ステップＳ５６へ進む場合はピントが合った場合である。
【００５３】
一方、ＣＰＵ２１は、合焦に必要な駆動量が所定値以上の場合にはステップＳ５５を否定判定し、ステップＳ６６へ進む。ステップＳ６６へ進む場合はピントが合っていない場合である。ステップＳ６６において、ＣＰＵ２１は表示回路３０に指示を送り、非合焦を示すマークを表示モニタ３１に表示させてステップＳ５１へ戻る。この場合は、以上説明した処理をさらに繰り返す。
【００５４】
ステップＳ５６において、ＣＰＵ２１は合焦時のフォーカスレンズ１２の位置が所定範囲内か否かを判定する。ＣＰＵ２１は、フラッシュ発光部３５の光が十分に届く距離に被写体（本例ではユーザの顔）が存在する場合に、ステップＳ５６を肯定判定してステップＳ５７へ進む。具体的には、ズームレンズ１１の位置（ズームポジション）によって撮影レンズの開放Ｆ値が異なるため、ズーム位置検出センサ１５による検出値に対応するＦ値と、フラッシュ発光部３５のガイドナンバーＧＮとに基づいてフラッシュ光が適切に届く距離範囲を算出する。そして、合焦後の被写体距離（電子カメラ１からユーザの顔までの距離）が、上記フラッシュ光が届く距離範囲内であればステップＳ５６を肯定判定する。
【００５５】
ＣＰＵ２１は、合焦後の被写体距離（電子カメラ１からユーザの顔までの距離）が、上記フラッシュ光が届く距離範囲外であればステップＳ５６を否定判定し、ステップＳ６５へ進む。ステップＳ６５へ進む場合は、被写体距離が近すぎてフラッシュ光を制御しきれずに露出オーバーとなるおそれがある場合、または、被写体距離が遠すぎてフラッシュ光を制御しきれずに露出アンダーとなるおそれがある場合である。ステップＳ６５において、ＣＰＵ２１は表示回路３０に指示を送り、範囲外を示す警告マークを表示モニタ３１に表示させてステップＳ５１へ戻る。この場合は、以上説明した処理をさらに繰り返す。
【００５６】
図１０は、フラッシュ光が届く距離範囲を例示する図である。ＣＰＵ２１は、焦点距離（ズームポジションに対応する）と被写体距離との関係が図中の帯に含まれる場合に、ステップＳ５６を肯定する。なお、焦点距離については３５mm版システムに換算して３点を例示したものである。
【００５７】
図８のステップＳ５７において、ＣＰＵ２１は表示回路３０に指示を送り、合焦を示すマークを表示モニタ３１に表示させる。ＣＰＵ２１はさらに、ＡＦ補助光源２６を点滅発光させる。この点滅発光は、ユーザに対して撮影準備が整ったことを報知するものである。
【００５８】
ステップＳ５８において、ＣＰＵ２１はＳ１オンか否かを判定する。ＣＰＵ２１は、シャッターボタン３２１が半押し操作されたことを示すＳ１オン信号が入力されると、ステップＳ５８を肯定判定してステップＳ５９へ進む。ＣＰＵ２１は、Ｓ１オン信号が入力されない場合にはステップＳ５８を否定判定し、ステップＳ５１へ戻る。
【００５９】
ステップＳ５９において、ＣＰＵ２１はＳ２オンか否かを判定する。「Ｓ２」は、シャッターボタン３２１の押下操作に連動してオフ／オフする全押しスイッチ（不図示）であり、シャッターボタン３２１が半押し時より深く押下されるとオンする。ＣＰＵ２１は、シャッターボタン３２１が全押し操作されたことを示すＳ２オン信号が入力されると、ステップＳ５９を肯定判定してステップＳ６０へ進む。ＣＰＵ２１は、Ｓ２オン信号が入力されない場合にはステップＳ５９を否定判定し、ステップＳ５８へ戻る。
【００６０】
ステップＳ６０において、ＣＰＵ２１は撮像デバイス１９に再び測光用の撮像を行わせ、撮像デバイス１９から出力される撮像信号に基づいてＢＶ値（輝度）を算出する。ＣＰＵ２１はさらに、ＡＦ補助光源２６を消灯させてステップＳ６１へ進む。
【００６１】
ステップＳ６１において、ＣＰＵ２１は、ＢＶ値に応じて感度ＳＶ、絞りＡＶ、およびシャッター速度ＴＶをそれぞれ決定する。そして、（イ）画像処理回路２０へ感度ＳＶを指示、（ロ）絞りＡＶに応じた絞り１４の駆動を絞り駆動部１８へ指示し、ステップＳ６２へ進む。決定処理の詳細については後述する。ステップＳ６２において、ＣＰＵ２１はフラッシュ回路３３へ指示を送り、フラッシュ発光部３５をプリ発光させる。ＣＰＵ２１はさらに、プリ発光時に撮像デバイス１９から出力される撮像信号に基づいて撮影時に必要なフラッシュ発光量を決定し、ステップＳ６３へ進む。フラッシュ発光量の決定は、プリ発光時の図９に示す測光エリア全体の平均値に基づいて行われる。上述したように、露出パラメータは、ステップＳ５４において７２区画の測光領域の中から最も高い値に基づいて決定されている。よって、本実施例によれば、プリ発光時に７２区画の測光領域の中から最も高い値に基づいてフラッシュ発光量を決定する場合と比べて、より大きなフラッシュ発光量が決定される。そのため人物の影を、より抑えた画像を撮像することができる。なお、ＣＰＵ２１は、フラッシュ発光量の決定を、７２区画の測光領域の中の最も高い値に基づいて決定することにしても良い。
【００６２】
ステップＳ６３において、ＣＰＵ２１はフラッシュ撮影を行ってステップＳ６４へ進む。具体的には、（ハ）シャッター駆動部１７にシャッター速度ＴＶを指示する、（ニ）シャッター速度ＴＶに対応する露光時間となるように撮像デバイス１９を露光制御（電荷蓄積制御）する、（ホ）フラッシュ回路３３に上記決定した発光量で発光を指示する。
【００６３】
ステップＳ６４において、ＣＰＵ２１は画像処理回路２０による処理後の撮影データを内蔵フラッシュメモリ２８内に記録して図８による処理を終了する。
【００６４】
＜ＳＶ、ＡＶ、ＴＶ決定処理＞
露出決定処理について、図１１に例示するフローチャートを参照して説明する。ＣＰＵ２１は、ステップＳ６１において図１１による処理を行う。なお、図１１の露出決定処理は、ユーザ識別に用いる画像を撮影する場合と異なる通常撮影の場合にも、共通に用いられる。
【００６５】
図１１のステップＳ１０１において、ＣＰＵ２１は、所定のプログラム線図に沿って上記ＢＶ値に応じた感度ＳＶ０、絞りＡＶ０、およびシャッター速度ＴＶ０を、それぞれ決定してステップＳ１０２へ進む。
【００６６】
ステップＳ１０２において、ＣＰＵ２１は、識別データ撮影処理か否かを判定する。ＣＰＵ２１は、ユーザ識別に用いる画像の撮影において実行する露出決定処理の場合、ステップＳ１０２を肯定判定してステップＳ１０３へ進む。ＣＰＵ２１は、通常撮影において実行する露出決定処理の場合、ステップＳ１０２を否定判定してステップＳ１０４へ進む。
【００６７】
通常撮影の場合のＣＰＵ２１は、ステップＳ１０４において、感度ＳＶにＳＶ０を、絞りＡＶにＡＶ０を、シャッター速度ＴＶに（ＴＶ０＋０．５）を、それぞれセットして図１１による処理を終了する。この場合の通常撮影は、プログラム線図に比べてシャッター速度を０．５段相当高速にするとともに、フラッシュ発光部３５を発光させる照明撮影である（たとえば日中シンクロ撮影）。これにより、露光に寄与する定常光成分を抑える一方で、フラッシュ光を露光に寄与させることができる。
【００６８】
ユーザ識別に用いる画像の撮影（識別データ撮影）の場合のＣＰＵ２１は、ステップＳ１０３において、感度ＳＶにＳＶ０を、絞りＡＶに（ＡＶ０＋１．５）を、シャッター速度ＴＶに（ＴＶ０＋０．５）を、それぞれセットして図１１による処理を終了する。識別データ撮影の場合は、上記通常撮影時に比べて、絞りを１．５段相当絞るとともに、フラッシュ発光部３５を強く発光させる撮影である。これにより、露光に寄与する定常光成分をさらに抑える一方で、フラッシュ光の露光寄与率をさらに高めることができる。
【００６９】
以上説明した第一の実施形態によれば、次の作用効果が得られる。
（１）ユーザ識別に用いる画像を撮影する場合、通常撮影時よりアンダー露出にする露出パラメータＡＶおよびＴＶを設定するとともに、フラッシュ発光部３５を発光させてアンダー露出を補う構成にした。これにより、(a)通常撮影時より露光に寄与する定常光成分を抑えること、および(b)通常撮影時より露光に寄与するフラッシュ光の寄与率を高めることができる。この結果、影を抑えて識別に適した撮影を行うことができる。
【００７０】
（２）ユーザ識別に用いる画像を撮影する場合、通常撮影時より低い感度にする感度パラメータＳＶを設定するとともに、フラッシュ発光部３５を発光させて低感度を補う構成にした。これにより、(a)通常撮影時より露光に寄与する定常光成分を抑えること、および(b)通常撮影時より露光に寄与するフラッシュ光の寄与率を高めることができる。この結果、影を抑えて識別に適した撮影を行うことができる。
【００７１】
（３）露出パラメータＡＶおよびＴＶの少なくとも一方を通常撮影時よりアンダー露出側にセットするので、絞り値優先の露出制御の場合にも、シャッター速度優先の露出制御の場合にも、いずれにも本発明を適用できる。
【００７２】
（４）ユーザ識別に用いる画像を撮影する場合、フラッシュ発光させる通常撮影の場合の露出パラメータよりアンダー露出にする露出パラメータＡＶおよびＴＶを設定するとともに、フラッシュ発光部３５を発光させてアンダー露出を補う構成にした。これにより、(a)通常のフラッシュ撮影時より露光に寄与する定常光成分を抑えること、および(b)通常のフラッシュ撮影時より露光に寄与するフラッシュ光の寄与率を高めることができる。この結果、影を抑えて識別に適した撮影を行うことができる。
【００７３】
（５）分割測光領域のうち、最大輝度を示す領域の信号に基づいてＢＶ値を算出し、このＢＶ値に応じてプログラム線図に沿った感度ＳＶ０、絞りＡＶ０、およびシャッター速度ＴＶ０をそれぞれ決定する。ユーザ識別に用いる画像を撮影する場合、感度ＳＶ０、絞りＡＶ０、およびシャッター速度ＴＶ０によって得られる露出よりアンダー露出にするので、露出オーバーになることが確実に抑えられ、識別に適した撮影を行うことができる。
（６）フラッシュ発光量の決定を、プリ発光時の図９に示す測光エリア全体の平均値に基づいて行うようにした。上述したように、露出パラメータは、ステップＳ５４において７２区画の測光領域の中から最も高い値に基づいて決定されている。このため、本実施例によれば、プリ発光時に７２区画の測光領域の中から最も高い値に基づいてフラッシュ発光量を決定する場合と比べて、より大きなフラッシュ発光量が決定される。これにより、人物の影を、より抑えた画像を撮像することができる。
【００７４】
（７）ＡＦ補助光源２６を点滅発光させることによって、電子カメラ１の正面を見ているユーザに対して撮影準備が整ったことを報知できる。さらに、撮影準備が整ったことを報知するための専用ランプ等を設けることなく報知できる。
【００７５】
（変形例１）
第一の実施形態では、外部ＡＦモジュール２７を用いてオートフォーカス調節を行うようにした。この代わりに、撮像デバイス１９に結像される被写体像のコントラストを最大にするようにフォーカスレンズ１２を進退移動させる、いわゆる山登り式のオートフォーカス調節を行う構成にしてもよい。また、外部ＡＦモジュール２７によるオートフォーカス調節と、山登り式のオートフォーカス調節とを併用する構成にしてもよい。
【００７６】
（変形例２）
露出決定処理において、通常撮影時にフラッシュ発光部３５を発光させる例を説明したが、通常撮影時はフラッシュ発光部３５を使用しない撮影としても構わない。また、ユーザ識別に用いる画像の撮影の場合、露光に寄与する定常光成分を抑えるためにＡＶ値を１．５段増加させる例を説明したが、ＴＶ値をさらに１．５段増加させるように構成しても構わない。また、通常撮影時と識別データ撮影時との間の定常光成分の寄与率の差は、上記１．５段に限らず、１段でも３段でも構わない。
【００７７】
（第二の実施形態）
ユーザ識別に用いる画像の撮影（識別データ撮影）の場合、露光に寄与する定常光成分を抑えるために撮像感度を低く制御してもよい。図１２は、本発明の第二の実施形態による露出決定処理を説明するフローチャートである。図１２のフローチャートは、図１１のフローチャートに代えて用いられる。
【００７８】
図１２および図１１の相違点は、ステップＳ１０３ＢおよびステップＳ１０４Ｂなので、これらの処理を中心に説明し、他の処理については説明を省略する。通常撮影の場合のＣＰＵ２１は、図１２のステップＳ１０４Ｂにおいて、感度ＳＶ０、絞りＡＶ０、およびシャッター速度ＴＶ０をそれぞれ決定し、図１２による処理を終了する。この場合の通常撮影は、プログラム線図どおりに露出を制御し、フラッシュ発光部３５を使用しない撮影である。
【００７９】
ユーザ識別に用いる画像の撮影（識別データ撮影）の場合のＣＰＵ２１は、ステップＳ１０３Ｂにおいて、感度ＳＶに（ＳＶ０−２）を、絞りＡＶにＡＶ０を、シャッター速度ＴＶにＴＶ０を、それぞれセットして図１２による処理を終了する。識別データ撮影の場合は、上記通常撮影時に比べて、感度を２段下げるとともに、フラッシュ発光部３５を発光させる撮影である。具体的には、ＣＰＵ２１は、画像処理回路２０内の増幅回路の増幅率を通常撮影時よりも２段分低い感度に相当する増幅率に設定する。これにより、露光に寄与する定常光成分を抑える一方で、フラッシュ光の露光寄与率を高めることができる。
【００８０】
以上説明した第二の実施形態によれば、次の作用効果が得られる。
（１）ユーザ識別に用いる画像を撮影する場合、通常撮影時より低い感度にする感度パラメータＳＶを設定するとともに、フラッシュ発光部３５を発光させて低感度を補う構成にした。これにより、(a)通常撮影時より露光に寄与する定常光成分を抑えること、および(b)通常撮影時より露光に寄与するフラッシュ光の寄与率を高めることができる。この結果、影を抑えて識別に適した撮影を行うことができる。
【００８１】
（２）ユーザ識別に用いる画像を撮影する場合、絞りＡＶおよびシャッター速度ＴＶは通常撮影を行う場合と同様のプログラム線図どおりなので、ユーザ識別に用いる画像を撮影する場合と通常撮影の場合との間で、被写界深度および手ぶれの状態が異なることがない。
【００８２】
（第三の実施形態）
一般に、定常光が少ない（ＢＶ値が小さい）場合はＴＶ値が小さく（シャッター速度が遅く）制御される。シャッター速度が低速になるほど手ぶれが生じやすくなることから、手ぶれの影響を抑えるためには低速側のシャッター速度を所定速度（いわゆる手ぶれ限界シャッター速度）に制限することが好ましい。この場合、通常撮影時においても、太陽光のような強い光源下とは違って露光に寄与する定常光成分が少なくなるので、通常撮影の場合とユーザ識別に用いる画像の撮影（識別データ撮影）の場合とで、露出制御の内容を異ならせなくてもよい。
【００８３】
第三の実施形態では、ＢＶ値が所定値（たとえばＢＶ４）を超える場合は第一の実施形態で図１１に例示した露出決定処理を行い、ＢＶ値が所定値以下の場合は図１３に例示する露出決定処理を行う。図１３は、本発明の第三の実施形態による露出決定処理を説明するフローチャートである。図１３のフローチャートは、図１１のフローチャートに代えて用いられる。
【００８４】
図１３および図１１の相違点は、ステップＳ２０１およびステップＳ２０２が追加されている点なので、これらの処理を中心に説明し、他の処理については説明を省略する。図１３のステップＳ２０１において、ＣＰＵ２１は、ＢＶ値が４を超えるか否かを判定する。ＣＰＵ２１は、ＢＶ＞４が成立する場合にステップＳ２０１を肯定判定してステップＳ１０１へ進む。ＣＰＵ２１は、ＢＶ＞４が成立しない場合にはステップＳ２０１を否定判定し、ステップＳ２０２へ進む。
【００８５】
ステップＳ２０２において、ＣＰＵ２１は、感度ＳＶにＳＶ０を、絞りＡＶにＡＶ０を、シャッター速度ＴＶにＴＶ１を、それぞれセットして図１３による処理を終了する。シャッター速度ＴＶ１は、上述した手ぶれ限界シャッター速度に対応する。ＣＰＵ２１は、低速側のシャッター速度を制限したことによる露光不足を、フラッシュ発光部３５を発光させて補う。
【００８６】
以上説明した第三の実施形態によれば、次の作用効果が得られる。
（１）ＢＶ値＞４が成立しない場合は、ユーザ識別に用いる画像を撮影する場合とフラッシュ発光させる通常撮影の場合とを区別せずに、共通の露出パラメータＡＶおよびＴＶを設定するとともに、フラッシュ発光部３５を発光させて露出を補う構成にした。露光に寄与する定常光成分が少ない状況では、通常撮影の場合とユーザ識別に用いる画像の撮影の場合とで露出制御の内容を共通にすることによって制御を簡単にすることができる。また、この場合にも識別に適した撮影を行うことができる。
【００８７】
（２）上記（１）の場合に手ぶれ限界シャッター速度に対応するシャッター速度ＴＶ１をセットするので、手ぶれの影響を抑えつつ、識別に適した撮影を行うことができる。
【００８８】
（変形例３）
以上の説明では、ユーザ識別するか否かで画像ファイルに対して閲覧制限をかける例を説明した。この代わりに、またはこれに加えて、閲覧の他にも画像ファイルの複製、転送、印刷などの画像ファイルに対するアクセスの全てまたは一部を制限するようにしてもよい。
【００８９】
（変形例４）
フラッシュ発光部３５、フラッシュ回路３３およびコンデンサ３４からなる照明装置をを電子カメラ１に内蔵する例を説明した。この代わりに、照明装置を電子カメラ１のアクセサリシュー等に装着するタイプの外部照明装置によって構成してもよい。また、照明装置の発光部をＬＥＤにより構成してもよい。
【００９０】
第一の実施形態、第二の実施形態、第三の実施形態、変形例１、変形例２、変形例３および変形例４は、それぞれを適宜組み合わせて構成してもよい。
【００９１】
以上の説明はあくまで一例であり、上記の実施形態の構成に何ら限定されるものではない。
【図面の簡単な説明】
【００９２】
【図１】本発明の第一の実施形態による電子カメラの正面図である。
【図２】図１の電子カメラの背面図である。
【図３】図１におけるＡ−Ａ'断面図である。
【図４】電子カメラの要部構成を説明するブロック図である。
【図５】ＣＰＵがユーザ識別のために行う処理の流れを説明するフローチャートである。
【図６】登録名選択画面を例示する図である。
【図７】管理テーブルを例示する図である。
【図８】識別データ撮影を説明するフローチャートである。
【図９】分割測光領域を説明する図である。
【図１０】フラッシュ光が届く距離範囲を例示する図である。
【図１１】露出決定処理を説明するフローチャートである。
【図１２】第二の実施形態による露出決定処理を説明するフローチャートである。
【図１３】第三の実施形態による露出決定処理を説明するフローチャートである。
【符号の説明】
【００９３】
１…電子カメラ
１１…ズームレンズ
１２…フォーカスレンズ
１３…シャッター
１４…絞り
１７…シャッター駆動部
１８…絞り駆動部
１９…撮像デバイス
２０…画像処理回路
２１…ＣＰＵ
２６…ＡＦ補助光源
３３…フラッシュ回路
３４…コンデンサ
３５…フラッシュ発光部
【図１】
2008257083.tif 000003
【図２】
2008257083.tif 000004
【図３】
2008257083.tif 000005
【図４】
2008257083.tif 000006
【図５】
2008257083.tif 000007
【図６】
2008257083.tif 000008
【図７】
2008257083.tif 000009
【図８】
2008257083.tif 000010
【図９】
2008257083.tif 000011
【図１０】
2008257083.tif 000012
【図１１】
2008257083.tif 000013
【図１２】
2008257083.tif 000014
【図１３】
2008257083.tif 000015